(57)【要約】【課題】鍔を有しない従来型のシーリングローゼットにも、鍔付きのシーリングローゼットにも取り付けることができる天井直付け照明器具取付装置を提供すること。【解決手段】照明器具本体１に取り付けられるアダプタ本体２と、天井に固着されたシーリングローゼット３の下面に着脱自在に係止される引掛プラグ４とを備え、アダプタ本体２に引掛プラグ４が嵌入される孔５を設けると共に、孔５の内周面に複数の係止爪６を出没自在に、且つ突出方向へ付勢して設け、引掛プラグ４の外周に、係止爪６と係合可能な鍔１２’を形成し、係止爪６の内端部が上から押圧された時に、係止爪６はアダプタ本体２内へ没入するようになっている。【選択図】　　　図１
2004047150.tif 000002
【特許請求の範囲】
【請求項１】
照明器具本体に取り付けられるアダプタ本体と、天井に固着されたシーリングローゼットの下面に着脱自在に係止される引掛プラグとを備えた天井直付け照明器具取付装置において、前記アダプタ本体に前記引掛プラグが嵌入される孔を設けると共に、該孔の内周面に複数の係止爪を出没自在に、且つ突出方向へ付勢して設け、前記引掛プラグの外周に、前記係止爪と係合可能な鍔を形成し、前記係止爪の内端部を、上から押圧された時に、前記係止爪が前記アダプタ本体内へ没入する面にしたことを特徴とした天井直付け照明器具取付装置。
【請求項２】
前記引掛プラグの鍔及び前記アダプタ本体の孔の平面形状を円形とした請求項１に記載の天井直付け照明器具取付装置。
【発明の詳細な説明】
【０００１】
【発明の属する技術分野】
本発明は、天井直付け照明器具取付装置に関する。
【０００２】
【従来の技術】
本出願人は、先に、天井に固着されたシーリングローゼットと、照明器具本体に取り付けられるアダプタ本体と、シーリングローゼットの下面に係止される引掛プラグとを備え、アダプタ本体にシーリングローゼットを嵌入する孔を設けると共に、孔の内周面に複数の係止爪を出没自在に設け、シーリングローゼットの外周に係止爪と係合可能な鍔を形成した天井直付け照明器具取付装置を特願２００１−２１９３３４号として提案した。
しかし、一般的に用いられている従来型のシーリングローゼットには、アダプタ本体を係止するための鍔が形成されておらず、この天井直付け照明器具取付装置は、従来型シーリングローゼットが取り付けられている天井に設置することができなかった。
【０００３】
【発明が解決しようとする課題】
この発明は、鍔を有しない従来型のシーリングローゼットにも、鍔付きのシーリングローゼットにも取り付けることができる天井直付け照明器具取付装置の提供を課題とする。
【０００４】
【課題を解決するための手段】
本発明の天井直付け照明器具取付装置は、照明器具本体に取り付けられるアダプタ本体と、天井に固着されたシーリングローゼットの下面に着脱自在に係止される引掛プラグとを備え、前記アダプタ本体に前記引掛プラグが嵌入される孔を設けると共に、該孔の内周面に複数の係止爪を出没自在に、且つ突出方向へ付勢して設け、前記引掛プラグの外周に、前記係止爪と係合可能な鍔を形成し、前記係止爪の内端部を、上から押圧された時に、前記係止爪が前記アダプタ本体内へ没入する面にしてある。
【０００５】
鍔のあるシーリングローゼットが天井に固着されている場合は、アダプタ本体を、その孔とシーリングローゼットとを合致させて押し上げる。すると、テーパー面がシーリングローゼットの鍔に押圧されて係止爪が没入し、さらに、係止爪は鍔を通過後に再度突出して鍔の上面に係止されて、アダプタ本体がシーリングローゼットに取り付けられる。
次いで、アダプタ本体の孔に引掛プラグを嵌入して、シーリングローゼットの下面に引掛プラグを取り付ける。
もちろん、この場合に、シーリングローゼットの下面に引掛プラグを取り付けてから、アダプタ本体を押し上げて、その係止爪を引掛プラグの鍔に係止しても良い。
【０００６】
鍔のないシーリングローゼットが天井に固着されているときは、引掛プラグをシーリングローゼットに係止してから、アダプタ本体を、その孔と引掛プラグとを合致させて押し上げ、係止爪を鍔の上面に係止してアダプタ本体を引掛プラグに取り付ける。
また、引掛プラグに対するアダプタ本体の方向性を無くして、照明器具本体を水平方向におけるどの角度にも取り付けることができるように、引掛プラグの鍔及びアダプタ本体の孔の平面形状を円形としても良い。
【０００７】
【発明の実施の形態】
以下、本発明の実施形態を図面に基づいて詳細に説明する。
本発明の天井直付け照明器具取付装置は、図１に示すように、照明器具本体１に取り付けられるアダプタ本体２と、天井に固着されたシーリングローゼット３の下面に着脱自在に係止される引掛プラグ４とを備える。
【０００８】
アダプタ本体２は、照明器具本体１の天板下面に取り付けられ、アダプタ本体２の中央には、引掛プラグ４を嵌入するための円形の孔５が形成される。
孔５の内周面には２個の係止爪６が相対向する位置に、且つ、出没自在に設けられる。また、係止爪６は、図２及び図３に示すように、アダプタ本体２に内蔵されたスプリング７によって、孔５の内周面から中心に向けて突出する方向に付勢されている。
さらに、係止爪６の上面内端部は、上から押圧された時に係止爪６がアダプタ本体２内へ没入する面、即ち、上に行くほど外方へ向かうよう傾斜したテーパー上面８となっており、常態においてこのテーパー上面８が孔５の内周面から突出するようになっている。
【０００９】
係止爪６の下面には操作レバー９がそれぞれ一体に設けられると共に、これらの操作レバー９の下部がアダプタ本体２の下面に露出している（図１）。従って、操作レバー９を外周方向へ移動させると、係止爪６はアダプタ本体２の内部へ没入する。
なお、アダプタ本体２には、係止爪６が没入するのを規制する係止爪ロック機構を設けると良い。
また、孔５の内周面下端には、内方へ張り出す張り出し片１１が周方向に沿って形成される。
【００１０】
シーリングローゼット３としては、図１の右端に示す天井埋め込み型で鍔無しのものと、図１の中央に示すように天井から露出する鍔無しのものと、図１の左端に示すように鍔１２を有するものとがある。
シーリングローゼット３の下面には、一対の円弧状の栓刃挿入口１３が形成される。栓刃挿入口１３は、一端側に形成された広幅部と他端側に形成された狭幅部とから成り、狭幅部の奥部には屋内配線と接続された図示しない端子が配設されている。
また、上記３種類のシーリングローゼット３の内、鍔１２のあるシーリングローゼット３は円形平面を有し、その下端外周に鍔１２が形成されると共に、鍔１２の部分の直径が、アダプタ本体２の孔５の直径より僅かに小さく形成されている。さらに、鍔１２の下面外周部は、上に行くほど外方へ向かうよう傾斜したテーパー下面１０となっている。
【００１１】
引掛プラグ４は、図４及び図５に示すように、鍔１２を有するシーリングローゼット３とほぼ同径の円形平面を有し、その下端外周に鍔１２と同径の鍔１２’が周方向全長に亘って形成されている。
また、鍔１２の下面外周部には、上に行くほど外方へ向かうよう傾斜したテーパー下面１０’が形成されている。
引掛プラグ４の下面からは接続コード１４が延びており、接続コード１４の先端には、照明器具のコネクタと接続されるコネクタ１５が装着される（図５）。
また、引掛プラグ４の上面には、シーリングローゼット３の栓刃挿入口１３へ抜挿自在に差し込まれる一対の栓刃１６が突出され、この栓刃１６と接続コード１４とが電気的に接続されている。
即ち、栓刃１６をシーリングローゼット３の栓刃挿入口１３へ挿入して、栓刃１６とシーリングローゼット３の端子とを接続すると、接続コード１４は屋内配線と電気的に接続されるようになっている。
【００１２】
さらに、引掛プラグ４の上面には、ロック爪１７が出没自在に、且つ、突出方向へ付勢されて設けられる。このロック爪１７は、引掛プラグ４が適正位置にあるとき突出してシーリングローゼット３と係合し、引掛プラグ４が回転しないようになっている。
そして、ロック爪１７を没入させる操作を行うと、引掛プラグ４を栓刃１６の引き抜き方向へ回転させることができる。
【００１３】
本発明の天井直付け照明器具取付装置は次のように取り付けられる。
図２に示すように、天井に鍔無しのシーリングローゼット３が固着されているときは、先ず、引掛プラグ４の栓刃１６をシーリングローゼット３の栓刃挿入口１３に差し込んで、引掛プラグ４をシーリングロゼット３に取り付ける。
次に、孔５と引掛プラグ４とを一致させてアダプタ本体２を押し上げると、引掛プラグ４が孔５に嵌入され、係止爪６のテーパー上面８が引掛プラグ４の鍔１２’にぶつかる。
【００１４】
アダプタ本体２をさらに上昇させると、係止爪６の内端部に形成されたテーパー上面８が鍔１２’のテーパー下面１０’により上から押圧され、この結果、係止爪６はアダプタ本体２の内部に没入する。
係止爪６が鍔１２’を通過すると、スプリング７の付勢力によって係止爪６が再度突出し、鍔１２’の上面に係合してアダプタ本体２が引掛プラグ４に取り付けられ、照明器具本体１が天井に装着される。
最後に、引掛プラグ４のコネクタ１５を照明器具のコネクタに接続する。
なお、アダプタ本体２に設けられた係止爪ロック機構を作動させれば、係止爪６が没入して引掛プラグ４の鍔１２’から外れ、アダプタ本体２及び照明器具本体１が落下するのを防止できる。
【００１５】
図３に示すように、天井に鍔１２を有するシーリングローゼット３が固着されている場合は、先ず、アダプタ本体２を、その孔５とシーリングローゼット３とを合致させた状態で押し上げる。
すると、係止爪６の内端部に形成されたテーパー上面８が、シーリングローゼット３の鍔１２のテーパー下面１０により上から押圧されて、係止爪６がアダプタ本体２内へ没入する。
さらに、係止爪６が鍔１２を通過すると、再度突出して鍔１２の上面に係止され、これにより、アダプタ本体２及び照明器具本体１がシーリングローゼット３に取り付けられる。
【００１６】
次いで、アダプタ本体２の孔５に引掛プラグ４を嵌入して、シーリングローゼット３の栓刃挿入口１３に引掛プラグ４の栓刃１６を差し込み、シーリングローゼット３の下面に引掛プラグ４を取り付けてから、引掛プラグ４のコネクタ１５を照明器具のコネクタに接続する。
すると、アダプタ本体２の張り出し片１１が引掛プラグ４の鍔１２’の上面に係止されて、アダプタ本体２及び照明器具本体１が落下するのを防ぐ。
なお、この場合に、シーリングローゼット３の下面に引掛プラグ４を取り付けてから、アダプタ本体２を押し上げて、係止爪６を引掛プラグ４の鍔１２に係止し、アダプタ本体２及び照明器具本体１を引掛プラグ４によって支持することもできる。
【００１７】
【発明の効果】
請求項１に係る発明によれば、天井に鍔付きのシーリングローゼットが固着されている場合でも、鍔無しのシーリングローゼットが固着されている場合でも取り付けることができるので、いちいちシーリングローゼットを交換して屋内配線と接続し直す必要がない。
請求項２に係る発明によれば、引掛プラグに対するアダプタ本体の方向性を無くして、照明器具本体を水平方向におけるどの角度にも取り付けることができる。
【図面の簡単な説明】
【図１】本発明の実施形態を示す天井直付け照明器具取付装置の分解斜視図
【図２】鍔無しシーリングローゼットに取り付けた天井直付け照明器具取付装置の断面図
【図３】鍔付きシーリングローゼットに取り付けた天井直付け照明器具取付装置の断面図
【図４】引掛プラグの上面斜視図
【図５】引掛プラグの下面斜視図
【符号の説明】
１　照明器具本体
２　アダプタ本体
３　シーリングローゼット
４　引掛プラグ
５　孔
６　係止爪
７　スプリング
８　テーパー上面
９　操作レバー
１０，１０’　テーパー下面
１１　張り出し片
１２，１２’　鍔
１３　栓刃挿入口
１４　接続コード
１５　コネクタ
１６　栓刃
１７　ロック爪
【図１】
2004047150.tif 000003
【図２】
2004047150.tif 000004
【図３】
2004047150.tif 000005
【図４】
2004047150.tif 000006
【図５】
2004047150.tif 000007